【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
支持部分と圧力調整部分とを有した支持体から成る保護及び圧力標準化装置であって、
前記支持部分と圧力調整部分が、外壁と内壁を有していること、
前記支持部分が、少なくとも関節用開口と、体の中央に近い側の開口と、末端側の開口と、前記の体の中央に近い側の開口から末端側の開口へ延びたギャップ開口とを有していること、
前記の体の中央に近い側の開口と、末端側の開口と、ギャップ開口が、支持対象物の少なくとも一部を収容可能であり、しかも、前記関節用開口が、前記支持対象物の少なくとも一部の前記関節を収容するように設計されていること、
前記外壁と内壁によって第１室の境界が限定されており、当該第１室が媒体を収容可能であること、
前記圧力調整部分が、前記支持部分の、体の中央に近い側の開口、末端側の開口又は関節用開口から延びており、しかも前記保護及び圧力標準化装置の第１位置にあり、（ａ）前記圧力調整部分の内壁全体が折り畳まれておらず、しかも、（ｂ）前記媒体が、前記第１室内に入れられており、前記支持部分内にある媒体が、前記外壁及び内壁に対して第１圧力をかけること、
前記第１圧力が、前記圧力調整部分の内壁の少なくとも一部を折り畳み、前記圧力調整部分又は支持部分に取り付けることによって調整可能であること
を特徴とする保護及び圧力標準化装置。
【請求項２】
前記圧力調整部分が、前記支持部分の前記末端側の開口又は体の中央に近い側の開口から延びており、しかも、前記支持部分の関節用開口の方へ移動可能であることを特徴とする請求項１に記載の装置。
【請求項３】
前記圧力調整部分が、前記支持部分の関節用開口に近接して延びるように移動可能であることを特徴とする請求項２に記載の装置。
【請求項４】
前記の圧力調整部分が、当該圧力調整部分の少なくとも第１部分を、前記支持部分の少なくとも一部又は前記圧力調整部分の少なくとも第２部分に連結させるための連結手段を更に含んでいることを特徴とする請求項１に記載の装置。
【請求項５】
前記内壁に近接した湿気除去材料層を更に含むことを特徴とする請求項１に記載の装置。
【請求項６】
前記外壁に近接した補強材料層を更に含むことを特徴とする請求項１に記載の装置。
【請求項７】
前記の第１室が、予め決められた内部圧力にまで前記媒体によって充填されていることを特徴とする請求項１に記載の装置。
【請求項８】
前記媒体が空気であることを特徴とする請求項１に記載の装置。
【請求項９】
前記の支持部分及び圧力調整部分が、単一の室から成っていることを特徴とする請求項１に記載の装置。
【請求項１０】
前記の圧力調整部分が、少なくとも一つの媒体移動経路を通って前記支持部分と相互に連絡されていることを特徴とする請求項１に記載の装置。
【請求項１１】
前記の支持部分にある複数の間を置いた非支持領域を更に含むことを特徴とする請求項１に記載の装置。
【請求項１２】
前記の支持部分が、下側部分と中間部分と上側部分とから成り、
前記下側部分では、当該下側部分の内壁の少なくとも一部が身体部分の下側領域の少なくとも一部と接し、
前記中間部分では、当該中間部分の内壁の少なくとも一部が前記身体部分の中間領域の少なくとも一部と接し、しかも
前記上側部分では、当該上側部分の内壁の少なくとも一部が前記身体部分の上側領域の少なくとも一部と接することを特徴とする請求項１に記載の装置。
【請求項１３】
１以上の締め付け具を更に含み、前記の１以上の締め付け具が、前記支持部分の第１縁の少なくとも一部を、前記支持部分の第２縁の少なくとも一部に連結していることを特徴とする請求項１に記載の装置。
【請求項１４】
一定の構造に保護及び圧力の標準化を行うための方法で、当該方法が、
支持部分と圧力調整部分とを含む支持体であって、前記支持部分と圧力調整部分が、外壁と内壁を有しており、前記支持部分が、少なくとも関節用開口と、体の中央に近い側の開口と、末端側の開口と、前記の体の中央に近い側の開口から末端側の開口へ延びたギャップ開口とを有しており、前記の体の中央に近い側の開口と、末端側の開口と、ギャップ開口が、前記構造の少なくとも一部を収容可能であり、しかも、前記関節用開口が、前記構造の少なくとも一部の前記関節を収容するように設計されており、前記外壁と内壁によって第１室の境界が限定されており、当該第１室が媒体を収容可能であり、前記圧力調整部分が、前記支持部分の、体の中央に近い側の開口、末端側の開口又は関節用開口から延びており、しかも前記保護及び圧力標準化装置の第１位置にあり、（ａ）前記圧力調整部分の内壁全体が折り畳まれておらず、しかも、（ｂ）前記媒体が、前記第１室内に入れられており、前記支持部分内にある媒体が、前記外壁及び内壁に対して第１圧力をかけ、前記第１圧力が、前記圧力調整部分の内壁の少なくとも一部を折り畳み、前記圧力調整部分又は支持部分に取り付けることによって調整可能であるものを準備すること、及び
前記構造を前記支持体内に位置させること
を特徴とする保護及び圧力の標準化方法。
【請求項１５】
更に、前記第１室を初期所定圧力にまで前記媒体にて充填することを含むことを特徴とする請求項１４に記載の方法。
【請求項１６】
前記圧力調整部分が、前記支持部分の前記末端側の開口又は体の中央に近い側の開口から延びており、しかも、前記支持部分の関節用開口の方へ移動可能であることを特徴とする請求項１４に記載の方法。
【請求項１７】
前記圧力調整部分が、前記支持部分の関節用開口に近接して延びるように移動可能であることを特徴とする請求項１６に記載の方法。
【請求項１８】
更に、連結手段を用いて、前記圧力調整部分の少なくとも第１部分を、前記支持部分の少なくとも一部又は前記圧力調整部分の少なくとも第２部分に連結させることを含むことを特徴とする請求項１４に記載の方法。
【請求項１９】
前記媒体が空気であることを特徴とする請求項１４に記載の方法。
【請求項２０】
前記内壁に近接した湿気除去材料層を更に含むことを特徴とする請求項１４に記載の方法。
【請求項２１】
前記外壁に近接した補強材料層を更に含むことを特徴とする請求項１４に記載の方法。
【請求項２２】
前記の支持部分及び圧力調整部分が、単一の室から成っていることを特徴とする請求項１４に記載の方法。
【請求項２３】
前記の圧力調整部分が、少なくとも一つの媒体移動経路を通って前記支持部分と相互に連絡されていることを特徴とする請求項１４に記載の方法。
【請求項２４】
前記の支持部分にある複数の間を置いた非支持領域を更に含むことを特徴とする請求項１４に記載の方法。
【請求項２５】
前記の支持部分が、下側部分と中間部分と上側部分とから成り、
前記下側部分では、当該下側部分の内壁の少なくとも一部が身体部分の下側領域の少なくとも一部と接し、
前記中間部分では、当該中間部分の内壁の少なくとも一部が前記身体部分の中間領域の少なくとも一部と接し、しかも
前記上側部分では、当該上側部分の内壁の少なくとも一部が前記身体部分の上側領域の少なくとも一部と接することを特徴とする請求項１４に記載の方法。
【請求項２６】
１以上の締め付け具を用いて、前記支持部分の第１縁の少なくとも一部を前記支持部分の第２縁の少なくとも一部に連結させることを含むことを特徴とする請求項１４に記載の方法。
【請求項２７】
支持部分と圧力調整部分とを有した支持体から成る保護及び圧力標準化装置であって、
前記支持部分と圧力調整部分が、外壁と内壁を有していること、
前記支持部分が、少なくとも体の中央に近い側の開口と、末端側の開口と、前記の体の中央に近い側の開口から末端側の開口へ延びたギャップ開口とを有していること、
前記の体の中央に近い側の開口と、末端側の開口と、ギャップ開口が、支持対象物の少なくとも一部を収容可能であること、
前記外壁と内壁によって第１室の境界が限定されており、当該第１室が媒体を収容可能であること、
前記圧力調整部分が、前記支持部分の、体の中央に近い側の開口又は末端側の開口から延びており、しかも前記保護及び圧力標準化装置の第１位置にあり、（ａ）前記圧力調整部分の内壁全体が折り畳まれておらず、しかも、（ｂ）前記媒体が、前記第１室内に入れられており、前記支持部分内にある媒体が、前記外壁及び内壁に対して第１圧力をかけること、
前記第１圧力が、前記圧力調整部分の内壁の少なくとも一部を折り畳み、前記圧力調整部分又は支持部分に取り付けることによって調整可能であること
を特徴とする保護及び圧力標準化装置。
【請求項２８】
前記圧力調整部分が、前記支持部分の前記末端側の開口又は体の中央に近い側の開口から延びており、しかも、前記支持部分の関節用開口の方へ移動可能であることを特徴とする請求項２７に記載の装置。
【請求項２９】
前記圧力調整部分が、前記支持部分の関節用開口に近接して延びるように移動可能であることを特徴とする請求項２８に記載の装置。
【請求項３０】
前記の圧力調整部分が、当該圧力調整部分の少なくとも第１部分を、前記支持部分の少なくとも一部又は前記圧力調整部分の少なくとも第２部分に連結させるための連結手段を更に含んでいることを特徴とする請求項２７に記載の装置。
【請求項３１】
前記内壁に近接した湿気除去材料層を更に含むことを特徴とする請求項２７に記載の装置。
【請求項３２】
前記外壁に近接した補強材料層を更に含むことを特徴とする請求項２７に記載の装置。
【請求項３３】
前記の室が、予め決められた内部圧力にまで前記媒体によって充填されていることを特徴とする請求項２７に記載の装置。
【請求項３４】
前記媒体が空気であることを特徴とする請求項２７に記載の装置。
【請求項３５】
前記の支持部分及び圧力調整部分が、単一の室から成っていることを特徴とする請求項２７に記載の装置。
【請求項３６】
前記の圧力調整部分が、少なくとも一つの媒体移動経路を通って前記支持部分と相互に連絡されていることを特徴とする請求項２７に記載の装置。
【請求項３７】
前記の支持部分にある複数の間を置いた非支持領域を更に含むことを特徴とする請求項２７に記載の装置。
【請求項３８】
前記の支持部分が、下側部分と中間部分と上側部分とから成り、
前記下側部分では、当該下側部分の内壁の少なくとも一部が身体部分の下側領域の少なくとも一部と接し、
前記中間部分では、当該中間部分の内壁の少なくとも一部が前記身体部分の中間領域の少なくとも一部と接し、しかも
前記上側部分では、当該上側部分の内壁の少なくとも一部が前記身体部分の上側領域の少なくとも一部と接することを特徴とする請求項２７に記載の装置。
【請求項３９】
１以上の締め付け具を更に含み、前記の１以上の締め付け具が、前記支持部分の第１縁の少なくとも一部を、前記支持部分の第２縁の少なくとも一部に連結していることを特徴とする請求項２７に記載の装置。
【手続補正２】
【補正対象書類名】明細書
【補正対象項目名】００３０
【補正方法】変更
【補正の内容】
【００３０】
図１〜５及び１１においては、別の締め具２４aが装置１０の下側部３６に位置している。この別の締め具２４aは更に、身体部分に装置１０を固定し、受け具５２a及び伸び具５４aを含む。しかし、この装置１０は締め具２４aなしで提供されてもよい。